(57)【要約】【課題】一つの作業で容易に開封することのできるインスタント食品収納容器を提供する。【解決手段】容器本体１の中にインスタントカップ食品を収納し、容器本体１の上端開口部に、周端部に摘み片３を有する蓋体２を接着して設け、さらに、容器本体１と蓋体２を外装フィルム４で包装した容器であって、摘み片３を、外装フィルム４に形成したスリット５から外に突出させ、その突出部３ａと当該突出部３ａ周辺の前記外装フィルム４にかけて開封シール６を接着する。開封シール６を剥がすと、それに接着している蓋体２の摘み片３（突出部３ａ）がそれと共に立ち上がるため、その摘み片３を持ってめくり上げることによって蓋体２を容器本体１から離脱させることができる。また、蓋体２が離脱することに伴い、その力によって外装フィルム４も破れるため、蓋体２と同時に取り除くことができる。【選択図】図２
2005112393.tif 000002
【特許請求の範囲】
【請求項１】
容器本体（１）の中にインスタントカップ食品を収納し，前記容器本体の上端開口部に，周端部に摘み片（３）を有する蓋体（２）を接着して設け，さらに，前記容器本体と蓋体を外装フィルム（４）で包装した容器であって、前記摘み片が，前記外装フィルムに形成したスリット（５）から外に突出され，その突出部（３ａ）と該突出部周辺の前記外装フィルムにかけて開封シール（６）が接着されてなるインスタントカップ食品収納容器。
【請求項２】
容器本体（１）の中にインスタントカップ食品を収納し，前記容器本体の上端開口部に，周端部に摘み片（３）を有する蓋体（２）を接着して設け，さらに，前記容器本体と蓋体を外装フィルム（４）で包装した容器であって、前記摘み片が，前記外装フィルムに形成したスリット（５）から外に突出され，その突出部（３ａ）と該突出部周辺の前記外装フィルムにかけて開封シール（６）が接着され、前記開封シールの所定端部が，前記外装フィルムに接着しない指掛け部（６ａ）とされてなるインスタントカップ食品収納容器。
【請求項３】
容器本体（１）の中にインスタントカップ食品を収納し，前記容器本体の上端開口部に，周端部に摘み片（３）を有する蓋体（２）を接着して設け，さらに，前記容器本体と蓋体を外装フィルム（４）で包装した容器であって、前記摘み片の下部近傍外側の外装フィルムに摘み片に比べて幅広のスリット（５）を設け、スリット周辺を含む上側の前記外装フィルムに開封シール（６）が接着されてなるインスタントカップ食品収納容器。
【発明の詳細な説明】
【技術分野】
【０００１】
本発明は、インスタントカップラーメンをはじめとするカップ食品を収納した容器に関するものである。
【背景技術】
【０００２】
図１を参照して説明する。インスタントカップラーメン等の食品を収納した容器は、通常、容器本体１とその上端開口部に設けた蓋体２の全体を外装フィルム４で包装している。この容器を開封するには、まず、外装フィルム４を、やや盛り上がっている部分である熱接着部４ａから破ったり、あるいは、底面に接着されている剥離シール７を剥がして破り、取り除く。次に、蓋体２を、その摘み片３を持ってめくり上げることによって、容器本体１から部分的あるいは全体的に取り除く。
【発明の開示】
【発明が解決しようとする課題】
【０００３】
すなわち、従来のインスタント食品を収納した容器は、それを開封するに当たって、外装フィルム４を取り除く作業と、蓋体２を取り除く作業といった二つの厄介な作業を必要としている。
【０００４】
本発明はこうした点に鑑み創案されたもので、一つの作業で容易に開封することのできるインスタント食品収納容器を提供することを課題とする。
【課題を解決するための手段】
【０００５】
図２乃至図８を参照して請求項１及び請求項２の発明を説明する。請求項１に記載の発明は、容器本体１の中にインスタントカップ食品を収納し、前記容器本体１の上端開口部に、周端部に摘み片３を有する蓋体２を接着して設け、さらに、前記容器本体１と蓋体２を外装フィルム４で包装した容器であって、前記摘み片３が、外装フィルム４に形成したスリット５から外に突出され、その突出部３ａと当該突出部３ａ周辺の前記外装フィルム４にかけて開封シール６が接着されてなるものである。
【０００６】
請求項２に記載の発明は、容器本体１の中にインスタントカップ食品を収納し，前記容器本体の上端開口部に，周端部に摘み片３を有する蓋体２を接着して設け，さらに，前記容器本体と蓋体を外装フィルム４で包装した容器であって、前記摘み片が，前記外装フィルムに形成したスリット５から外に突出され，その突出部３ａと該突出部周辺の前記外装フィルムにかけて開封シール６が接着され、前記開封シールの所定端部が、前記外装フィルムに接着しない指掛け部６ａとされてなるものである。
【０００７】
図６・図９〜図１１を参考にして請求項３の発明を説明する。請求項３に記載の発明は、容器本体１の中にインスタントカップ食品を収納し、前記容器本体１の上端開口部に、周端部に摘み片３を有する蓋体２を接着して設け、さらに、前記容器本体１と蓋体２を外装フィルム４で包装した容器であって、摘み片３の下部近傍外側の外装フィルム４に摘み片３に比べて幅広のスリット５を設け、スリット５周辺を含む上側の前記外装フィルム４に開封シール６が接着されてなるものである。
【発明の効果】
【０００８】
請求項１に記載の発明に係るインスタントカップ食品収納容器は、蓋体２の摘み片３が、外装フィルム４に形成したスリット５から外に突出され、その突出部３ａと当該突出部３ａ周辺の外装フィルム４にかけて開封シール６が接着されているので、開封シール６を剥がすことによって、蓋体２と外装フィルム４の両方を同時に取り除くことができる。
【０００９】
すなわち、図５に示すように、開封シール６を剥がすと、それに接着している蓋体２の摘み片３（突出部３ａ）がそれと共に立ち上がるため、その摘み片３を持ってめくり上げることによって蓋体２を容器本体１から離脱させることができる。また、蓋体２が離脱することに伴い、その力によって外装フィルム４も破れるため、蓋体２と同時に取り除くことができる。
【００１０】
従って、従来のように外装フィルム４と取り除く作業と、蓋体２を取り除く作業といった二つの作業ではなく、開封シール６を剥がしてそのまま連続的に蓋体２を開けるといった一つの作業のみで開封することができる。
【００１１】
請求項２に記載の発明は、請求項１に記載の発明と同様に、開封作業が容易であると共に、開封シール６の所定端部が、外装フィルムに接着しない指掛け部６ａとされているので、この指掛け部６ａに掴んで開封シール６を容易に剥がすことができる。従って、容器の開封をさらに容易なものとすることができる。
【００１２】
請求項３に記載の発明は、図９・図１０に示す如く、容器本体１の中にインスタントカップ食品を収納し、前記容器本体１の上端開口部に、周端部に摘み片３を有する蓋体２を接着して設け、さらに、前記容器本体１と蓋体２を外装フィルム４で包装した容器であって、摘み片３の下部近傍外側の外装フィルム４に摘み片３に比べて幅広のスリット５を設け、スリット５周辺を含む上側の前記外装フィルム４に開封シール６が接着されてなるもので、開封シール６を剥がすとき図１１に示す如くスリット５の上縁を引上げてスリット５の左右両側の外装フィルム４を大きく引き剥ぐとスリット５よりも下側の外装フィルム４が下側に引張られるようにして若干降下するので、このとき、摘み片３を引上げて一つの作業で開封するものである。
【発明を実施するための最良の形態】
【００１３】
本発明に係るインスタント食品収納容器の実施形態を、図２乃至図４に示す。この収納容器は、容器本体１、蓋体２、外装フィルム４および開封シール６で構成される。容器本体１の中にはインスタントラーメンを収納し、その上端開口部には、周端部に摘み片３を有する蓋体２を、接着によって設けている。また、容器本体１と蓋体２の全体は、外装フィルム４で包装している。さらに、外装フィルム４の摘み片３に対向する部分には、当該摘み片３に応じた大きさのスリット５を形成し、そのスリット５から摘み片３を突出させている。そして、摘み片３の突出部３ａと当該突出部３ａ周辺の外装フィルム４にかけて開封シール６を接着している。
【００１４】
この収納容器を開封するには、開封シール６を剥がす。これにより、摘み片３が立ち上がるため、その摘み片３をそのまま持ち上げてめくり上げ、蓋体２を容器本体１から取り除くと同時に、外装フィルム４も取り除く（図５参照）。従って、一つの作業で、蓋体２と外装フィルム４の両方を取り除くことができるので、開封作業が容易である。
【００１５】
なお、本実施形態においては、開封シールの下端部を、外装フィルムに接着しない指掛け部６ａとしている（図４参照）。従って、この指掛け部６ａを掴むことによって、開封シール６を容易に剥がすことができ、容器の開封作業をさらに容易なものとすることができる。この指掛け部６ａは、開封シール６の下端部のみでなく、側端部に形成することもできる。
【００１６】
本発明に係るインスタント食品収納容器において、外装フィルム４に形成するスリット５は、図６（ａ）に示すような直線型の他に、（ｂ）に示すギザギザ型、（ｃ）に示すＶ字型、（ｄ）に示す半円型など、あらゆる形状に設定することができる。
【００１７】
また、開封シール６は、図７（ａ）に示すように、容器本体１の外周面のみに接着することもできるし、（ｂ）に示すように、容器本体１から蓋体２にわたって接着することもできる。
【００１８】
さらに、容器本体１の形状は限定されるものではなく、いわゆるカップ型の他、図８（ａ）に示す丼型や（ｂ）に示すような角型など、あらゆる形状を対象とする。
【００１９】
図９〜図１１に示す別な実施形態のものは、容器本体１の中にインスタントカップ食品を収納し、前記容器本体１の上端開口部に、周端部に摘み片３を有する蓋体２を接着して設け、さらに、前記容器本体１と蓋体２を外装フィルム４で包装した容器であって、摘み片３の下部近傍外側の外装フィルム４に摘み片３に比べて幅広のスリット５を設け、スリット５周辺を含む上側の前記外装フィルム４に開封シール６が接着されてなるもので、開封シール６を剥がすときスリット５の上縁を引上げてスリット５の左右両側の外装フィルム４を大きく引き剥ぐと、図１１に示す如くスリット５よりも下側の外装フィルム４が下側に引張られるようにして若干降下するので、このとき、摘み片３を引上げるもので、一度の作業で開蓋することが出来る。
【図面の簡単な説明】
【００２０】
【図１】従来例に係る収納容器を示す斜視図である。
【図２】本発明に係る収納容器の実施形態を示す斜視図である。
【図３】図２に示す実施形態の要部拡大正面図である。
【図４】図３のＸ−Ｘ線断面図である。
【図５】本発明に係る収納容器の開封状態を示す側面図である。
【図６】本発明におけるスリットの形態を示す正面図である。
【図７】本発明における開封シールの接着箇所を示す斜視図である。
【図８】本発明に係る収納容器の他の実施形態を示す斜視図である。
【図９】本発明の別な実施形態を示す要部の正面図である。
【図１０】図９のＹ−Ｙ断面図である。
【図１１】図９の開封状態を示す側面図である。
【符号の説明】
【００２１】
１      容器本体
２      蓋体
３      摘み片
３ａ    突出部
４      外装フィルム
４ａ    熱接着部
５      スリット
６      開封シール
６ａ    指掛け部
７      剥離シール
【図１】
2005112393.tif 000003
【図２】
2005112393.tif 000004
【図３】
2005112393.tif 000005
【図４】
2005112393.tif 000006
【図５】
2005112393.tif 000007
【図６】
2005112393.tif 000008
【図７】
2005112393.tif 000009
【図８】
2005112393.tif 000010
【図９】
2005112393.tif 000011
【図１０】
2005112393.tif 000012
【図１１】
2005112393.tif 000013